(57)【要約】【課題】防止部材に付着した画像形成材料に光が照射されて防止部材が加熱されることを抑制する。【解決手段】定着装置１０は、トナー像が転写され、搬送路ｒに沿って搬送される用紙Ｐにレーザ光ＬＢを照射する照射部１０１と、レーザ光ＬＢを通過させる孔１０４１を有し、粉塵が照射部１０１に付着するのを防止する防止部材１０４とを有する。定着装置１０は、また、粉塵が孔１０４１を通過することを防止するための風を送る送風機１０６を有する。【選択図】図４
2014048456.tif 000002
【特許請求の範囲】
【請求項１】
光を吸収して定着される画像形成材料による画像が形成され、搬送路に沿って搬送される記録媒体に光を照射する照射部と、
前記光を通過させる第１の孔を有し、前記光を照射された前記画像形成材料が前記照射部に付着するのを防止する防止部材と
を有する定着装置。
【請求項２】
前記光を照射された前記画像形成材料が前記第１の孔を通過することを防止するための風を送る送風手段
を有する請求項１に記載の定着装置。
【請求項３】
前記送風手段は、前記第１の孔を通過し前記搬送路に向かう風を送る
ことを特徴とする請求項２に記載の定着装置。
【請求項４】
前記照射部により照射される光の光軸は、前記搬送路に対して下流側に傾いている
ことを特徴とする請求項３に記載の定着装置。
【請求項５】
前記送風手段は、前記搬送路の上流側から下流側に向かう風を送る
ことを特徴とする請求項２に記載の定着装置。
【請求項６】
前記照射部により照射される光の光軸は、前記搬送路に対して上流側に傾いている
ことを特徴とする請求項５に記載の定着装置。
【請求項７】
前記搬送路に対向し、前記照射部により照射された光および前記記録媒体により反射された反射光を通過させる開口部と、
前記開口部を通過した前記反射光を前記記録媒体に反射する反射面と
を有する反射部材を有し、
前記防止部材は、前記開口部において前記反射部材により支持され、
前記送風手段は、前記反射部材と前記防止部材とにより囲まれた空間内から当該空間の外に向かう風を送る
ことを特徴とする請求項３または４に記載の定着装置。
【請求項８】
前記反射部材は、前記照射部により照射された光を通過させる第２の孔を有し、
前記送風手段は、前記第２の孔から前記空間内に前記風を送る
ことを特徴とする請求項７に記載の定着装置。
【請求項９】
光を吸収して定着される画像形成材料による画像を記録媒体に転写する転写部と、
前記転写部により前記画像が転写され、搬送路に沿って搬送される前記記録媒体に光を照射する照射部と、
前記光を通過させる第１の孔を有し、前記光を照射された前記画像形成材料が前記照射部に付着するのを防止する防止部材と
を有する画像形成装置。
【発明の詳細な説明】
【技術分野】
【０００１】
本発明は、定着装置および画像形成装置に関する。
【背景技術】
【０００２】
トナー像が形成された記録媒体にレーザ光を照射してトナーを記録媒体に定着させる定着装置が知られている。特許文献１には、記録媒体上のトナーにレーザ光照射口を介してレーザ光を照射することが記載されている。特許文献２および３には、記録媒体上で反射したレーザ光を繰り返し照射領域に反射する集光体の反射面に、加熱されて昇華したトナーが付着することを防止するため、反射面をガラスで覆うことが記載されている。
【先行技術文献】
【特許文献】
【０００３】
【特許文献１】特開平１０−２６０６１３号公報
【特許文献２】特開２０１１−０４３６０９号公報
【特許文献３】特開２０１１−０４３６１０号公報
【発明の概要】
【発明が解決しようとする課題】
【０００４】
本発明は、防止部材に付着した画像形成材料に光が照射されて防止部材が加熱されることを抑制することを目的とする。
【課題を解決するための手段】
【０００５】
請求項１に係る定着装置は、光を吸収して定着される画像形成材料による画像が形成され、搬送路に沿って搬送される記録媒体に光を照射する照射部と、前記光を通過させる第１の孔を有し、前記光を照射された前記画像形成材料が前記照射部に付着するのを防止する防止部材とを有する。
【０００６】
請求項２に係る定着装置は、請求項１に記載の構成において、前記光を照射された前記画像形成材料が前記第１の孔を通過することを防止するための風を送る送風手段を有する。
【０００７】
請求項３に係る定着装置は、請求項２に記載の構成において、前記送風手段は、前記第１の孔を通過し前記搬送路に向かう風を送ることを特徴とする。
【０００８】
請求項４に係る定着装置は、請求項３に記載の構成において、前記照射部により照射される光の光軸は、前記搬送路に対して下流側に傾いていることを特徴とする。
【０００９】
請求項５に係る定着装置は、請求項２に記載の構成において、前記送風手段は、前記搬送路の上流側から下流側に向かう風を送ることを特徴とする。
【００１０】
請求項６に係る定着装置は、請求項５に記載の構成において、前記照射部により照射される光の光軸は、前記搬送路に対して上流側に傾いていることを特徴とする。
【００１１】
請求項７に係る定着装置は、請求項３または４に記載の構成において、前記搬送路に対向し、前記照射部により照射された光および前記記録媒体により反射された反射光を通過させる開口部と、前記開口部を通過した前記反射光を前記記録媒体に反射する反射面とを有する反射部材を有し、前記防止部材は、前記開口部において前記反射部材により支持され、前記送風手段は、前記反射部材と前記防止部材とにより囲まれた空間内から当該空間の外に向かう風を送ることを特徴とする。
【００１２】
請求項８に係る定着装置は、請求項７に記載の構成において、前記反射部材は、前記照射部により照射された光を通過させる第２の孔を有し、前記送風手段は、前記第２の孔から前記空間内に前記風を送ることを特徴とする。
【００１３】
請求項９に係る画像形成装置は、光を吸収して定着される画像形成材料による画像を記録媒体に転写する転写部と、前記転写部により前記画像が転写され、搬送路に沿って搬送される前記記録媒体に光を照射する照射部と、前記光を通過させる第１の孔を有し、前記光を照射された前記画像形成材料が前記照射部に付着するのを防止する防止部材とを有する。
【発明の効果】
【００１４】
請求項１および９に係る発明によれば、防止部材が第１の孔を有しない場合と比べて、防止部材に付着した画像形成材料に光が照射されて防止部材が加熱されることを抑制することができる。
請求項２に係る発明によれば、画像形成材料が第１の孔を通過することを防止するための風がない場合と比べて、画像形成材料が照射部に付着することを抑制することができる。
請求項３に係る発明によれば、第１の孔を通過し搬送路に向かう風がない場合と比べて、画像形成材料が照射部に付着することを抑制することができる。
請求項４に係る発明によれば、光軸が搬送路に対して上流側に傾いている場合に比べて、画像形成材料による画像が、送風手段により送られた風によって乱されることを抑制することができる。
請求項５に係る発明によれば、搬送路の上流側から下流側に向かう風がない場合と比べて、画像形成材料が照射部に付着することを抑制することができる。
請求項６に係る発明によれば、光軸が搬送路に対して下流側に傾いている場合に比べて、画像形成材料が照射部に付着することを抑制することができる。
請求項７に係る発明によれば、反射部材と防止部材とにより囲まれた空間内から当該空間の外に向かう風がない場合に比べて、画像形成材料が当該空間内に入ることを抑制することができる。
請求項８に係る発明によれば、空間内に風を送るための孔を第２の孔とは別に設ける場合に比べて、反射部材に設ける孔の数を少なくすることができる。
【図面の簡単な説明】
【００１５】
【図１】画像形成装置のハードウェア構成を示す概略図
【図２】画像形成エンジンを幅方向の一方側から見た概略図
【図３】実施形態に係る定着装置を搬送方向の上流側から見た断面模式図
【図４】実施形態に係る定着装置を幅方向の一方側から見た断面模式図
【図５】変形例１に係る定着装置を幅方向の一方側から見た断面模式図
【図６】変形例２に係る定着装置を幅方向の一方側から見た断面模式図
【発明を実施するための形態】
【００１６】
図１は、本発明の一実施形態に係る画像形成装置１００のハードウェア構成を示す概略図である。画像形成装置１００は、筐体の内部に制御部１、記憶部２、通信部３、受付部４、画像読取部５、画像処理部６、収容部７、搬送ローラ８、画像形成部９、および定着装置１０を有する。制御部１は、画像形成装置１００の各部の動作を制御する。制御部１は、ＣＰＵ（Central Processing Unit）と、ＲＯＭ（Read Only Memory）と、ＲＡＭ（Random Access Memory）とを有する。記憶部２は、制御部１により用いられるデータおよびプログラムを記憶する装置、例えばＨＤＤ（Hard Disk Drive）を有する。通信部３は、パーソナルコンピュータまたはファクシミリなどの外部装置と接続し、画像データの送受信を行う。受付部４は、ユーザからの指示の入力を受け付ける。受付部４は、ユーザが画像形成装置１００に指示を入力するための操作子を有する。受付部４で受け付けられた指示は制御部１に送られ、制御部１はこの指示に従って画像形成装置１００の動作を制御する。画像読取部５は、原稿を光学的に読み取って画像信号を生成する。具体的には、画像読取部５は、プラテンガラス、光源、光学系および撮像素子を備える。プラテンガラス上に載せられた原稿に対して光源が光を照射し、原稿で反射された反射光が光学系を介してＲ（Red）色、Ｇ（Green）色、Ｂ（Blue）色に分解されて撮像素子に入射する。撮像素子は、入射した光を画像信号に変換し、画像信号を画像処理部６に供給する。画像処理部６は、画像読取部５から供給された画像信号をＡ／Ｄ変換し、ノイズ除去、ガンマ補正、色空間の変換（Ｒ、Ｇ、ＢからＹ（Yellow）、Ｍ（Magenta）、Ｃ（Cyan）、Ｋ（Black）へ）、スクリーン処理等を施す。こうして、色毎、画素毎の階調を表す画像データが生成される。
【００１７】
収容部７は、シート状の用紙Ｐ（記録媒体の一例）を収容する。用紙Ｐは、１ページ分に裁断されていない連続紙（連続帳票、連帳紙ともいう）であり、軸７１に巻かれた形態で収容されている。なお、用紙Ｐが１ページ分ずつミシン目で区切られている場合には、ミシン面に沿ってつづら折りで畳まれた状態で収容するように収容部７が構成されていてもよい。搬送ローラ８は、用紙Ｐを搬送路ｒに沿って搬送する。搬送ローラ８は、図示された以外に、搬送路ｒ上に複数設けられている。画像形成部９（転写部の一例）は、画像形成エンジン９０Ｙ、９０Ｍ、９０Ｃ、および９０Ｋを有する。画像形成エンジン９０Ｙ、９０Ｍ、９０Ｃ、および９０Ｋは、画像処理部６から供給された画像データに基づいて、電子写真方式により、それぞれＹ色、Ｍ色、Ｃ色、Ｋ色のトナー像を用紙Ｐの表面に重ねて転写する。各画像形成エンジンの構成は共通であるため、以下、各画像形成エンジンを区別する必要のない場合には、画像形成エンジン９０と総称する。また、画像形成エンジン９０の構成要素についても、Ｙ、Ｍ、Ｃ、Ｋの表記を省略する。定着装置１０は、画像形成部９により転写されたトナー像を用紙Ｐに定着させる。トナー像が定着した用紙Ｐは、画像形成装置１００の外部に排出される。排出された用紙Ｐは、例えば、裁断装置（図示省略）によって１ページ分ずつ裁断される。以下では、用紙Ｐが搬送される方向（矢印Ａ方向）を単に「搬送方向」といい、搬送方向に直交する方向（図１の紙面に垂直な方向）を「幅方向」という。
【００１８】
図２は、画像形成エンジン９０を幅方向の一方側から見た概略図である。ｘ軸は幅方向、ｙ軸は搬送方向、ｚ軸は高さ方向を表す。画像形成エンジン９０は、感光体ドラム９１、帯電装置９２、露光装置９３、現像装置９４、転写装置９５およびクリーナー９６を有する。感光体ドラム９１は、外周面に光導電膜を積層した円筒状の部材であり、円筒の中心を軸として矢印Ｂの方向に回転するように支持される。帯電装置９２は、例えば、スコロトロン帯電器であり、感光体ドラム９１の光導電膜を予め定められた電位に帯電させる。露光装置９３は、帯電装置９２により帯電させられた感光体ドラム９１を露光して、静電潜像を形成する。具体的には、画像処理部６から供給された画像データで表される各画素の階調に対応するレーザ光を生成し、レーザ光で感光体ドラム９１の光導電膜を幅方向に走査する。感光体ドラム９１が矢印Ｂの方向に回転することによって幅方向の走査線単位での静電潜像の書き込みが搬送方向に繰り返される。
【００１９】
現像装置９４は、感光体ドラム９１に形成された静電潜像を現像する。現像装置９４は、感光体ドラム９１と外周面が対向するように設けられた現像ローラ９４１を有する。現像装置９４の内部には、トナーとキャリアからなる２成分現像剤が収容されている。トナーは、樹脂製の粉体をＹ色、Ｍ色、Ｃ色、Ｋ色のいずれかの色材で着色したものである。キャリアは、磁性体で作製された粉体である。２成分現像剤は、回転駆動される現像ローラ９４１の外周面に磁力によって付着する。現像ローラ９４１には静電潜像と逆極性の現像バイアスが印加されている。現像バイアスによってトナーが静電潜像と逆極性に帯電すると、トナーは静電潜像上に移動し、トナー像が形成される。転写装置９５は、搬送路ｒを挟んで感光体ドラム９１と対向する円筒状の部材である。転写装置９５は、トナー像と逆極性の転写バイアスが印加されている。転写バイアスによって用紙Ｐがトナー像と逆極性に帯電すると、トナー像は用紙Ｐに転写される。用紙Ｐが画像形成エンジン９０Ｋ、９０Ｃ、９０Ｍ、９０Ｙを通ると、トナー像は重ねて転写される。クリーナー９６は、トナー像が転写された後の感光体ドラム９１の表面に残留するトナーを除去する。
【００２０】
図３は、本発明の一実施形態に係る定着装置１０を搬送方向の上流側から見た断面模式図である。図４は、定着装置１０を幅方向の一方側から見た断面模式図である。定着装置１０は、照射部１０１、光学部材１０２、反射部材１０３、防止部材１０４、支持ローラ１０５、および送風機１０６を有する。
【００２１】
照射部１０１は、搬送ローラ８により搬送される用紙Ｐにレーザ光ＬＢを照射する。搬送路ｒ上において、レーザ光ＬＢが照射される領域を照射領域Ｄ１という。照射部１０１は、レーザ光ＬＢを発生させる複数の光源１０１１を有する。光軸ａ１は、レーザ光ＬＢの光軸である。光軸ａ１は、図４に示すように搬送路ｒに対して下流側に傾いている。搬送路ｒに対して下流側に傾いているとは、高さ方向から見て、照射部１０１が、照射領域Ｄ１よりも搬送路ｒの下流側にあることをいう。光源１０１１は、図３に示すように、幅方向に沿って間隔ｇで並んでいる。間隔ｇは、用紙Ｐのトナー像が形成され得る領域の全体にレーザ光ＬＢが照射されるように決められる。図３に示す例では、照射部１０１は、４つの光源１０１１を有する。レーザ光ＬＢの波長は、トナーを溶融させるに足りるエネルギーをトナーに与えられるのであればどのような波長であってもよい。レーザ光ＬＢとしては、例えば、赤外線が用いられる。この場合、現像装置９４では、赤外線を吸収する材料を混入させたトナーを用いる。
【００２２】
光学部材１０２は、光源から照射されたレーザ光ＬＢが伝播する方向を制御する部材、例えば、レンズである。光学部材１０２は、一の光源１０１１に対して、それぞれ一枚ずつ設けられる。図３に示す例では、４つの光源１０１１のそれぞれに対応させて、４枚の光学部材１０２が設けられている。光源１０１１から照射されたレーザ光ＬＢは、光学部材１０２に向かって伝播する。光学部材１０２は、図４に示すように、幅方向から見た断面が凸型を成しており、レーザ光ＬＢを搬送方向に収束させる。光学部材１０２は、搬送方向の照射幅が定められた範囲内（例えば、１．０±０．１ｍｍ）に収まるように、レーザ光ＬＢを収束させる。また、光学部材１０２は、図３に示すように、搬送方向から見た断面が矩形であり、レーザ光ＬＢを幅方向に屈折させることなく透過させる。レーザ光ＬＢは、光学部材１０２を透過すると、反射部材１０３に向かって伝播する。
【００２３】
反射部材１０３は、図３に示すように搬送方向から見た断面が矩形を成しており、図４に示すように幅方向から見た断面がアーチ状を成している。反射部材１０３は、孔１０３１、開口部１０３２、および反射面１０３３を有する。孔１０３１（第２の孔の一例）は、光源１０１１から照射されたレーザ光ＬＢを通過させる。開口部１０３２は、搬送路ｒと対向しており、反射部材１０３の内部を伝播したレーザ光ＬＢを通過させる。開口部１０３２を通過したレーザ光ＬＢは搬送路ｒ上の照射領域Ｄ１に照射される。用紙Ｐの表面に転写されたトナーＴは、図４に示すように、照射領域Ｄ１を通過すると溶融し、用紙Ｐに定着する。用紙Ｐにレーザ光ＬＢが照射されると、用紙Ｐの表面のトナー粒子が付着していない領域では、レーザ光ＬＢが反射される。用紙Ｐの表面では、鏡面反射と拡散反射が生じるので、あらゆる方向の反射が生じ得る。開口部１０３２は、また、用紙Ｐにより反射された反射光を通過させる。反射面１０３３は、反射部材１０３の内側であって、搬送路ｒと対向する面である。反射面１０３３は、開口部１０３２を通過した反射光を用紙Ｐに反射する。反射面１０３３は、レーザ光ＬＢを反射させるための加工が施されている。例えば、反射部材１０３はアルミニウム等の金属で作製され、反射面１０３３が鏡面に研磨されてもよいし、反射面１０３３に銀等でめっきが施されてもよい。反射光は、反射面１０３３で反射されることによって、その一部がトナー粒子に吸収され、残りは再び用紙Ｐの表面で反射される。このように、用紙Ｐの表面と反射部材１０３の反射面１０３３とでレーザ光ＬＢの反射が繰り返されると、反射面１０３３で反射されたレーザ光ＬＢの一部がトナーに吸収されてトナーの加熱および溶融が促進される。
【００２４】
レーザ光ＬＢを照射され加熱されたトナーの一部は昇華して気体となり、これが冷却されて粉塵が発生する場合がある。防止部材１０４は、粉塵が照射部１０１に付着するのを防止する。具体的には、防止部材１０４は、反射部材１０３の内側に粉塵が入り込まないように照射部１０１と搬送路ｒとの間を仕切る。防止部材１０４は、短辺と長辺とを有する矩形且つ板状の部材であり、光を透過する材料、例えば石英ガラスにより形成される。防止部材１０４は、開口部１０３２において、短辺が搬送方向に、長辺が幅方向に沿うように反射部材１０３により支持される。防止部材１０４は、孔１０４１（第１の孔の一例）を有する。孔１０４１は、レーザ光ＬＢを通過させる。ここでいう「レーザ光ＬＢを通過させる」とは、レーザ光ＬＢが、防止部材１０４と交わることなく孔１０４１を通過することをいう。孔１０４１は、幅方向の一方側から他方側に向かって設けられる。防止部材１０４に孔１０４１が設けられると、反射部材１０４に付着した粉塵にレーザ光ＬＢが照射されて防止部材１０４が加熱されることが防止される。
【００２５】
支持ローラ１０５は、搬送ローラ８による用紙Ｐの搬送に伴って回転軸ａ２を中心に搬送方向に回転し、用紙Ｐを支持する。支持ローラ１０５は、側面が開口部１０３２に向かい合うように設けられる。支持ローラ１０５の側面には、用紙Ｐ側からレーザ光ＬＢが照射される。
【００２６】
送風機１０６（送風手段の一例）は、粉塵が孔１０４１を通過することを防止するための風を送る。送風機１０６は、反射部材１０３の外側に設けられ、孔１０３１を介して、反射部材１０３と防止部材１０４とにより囲まれた空間内に風を送り込む。反射部材１０３と防止部材１０４とにより囲まれた空間内に風が送り込まれると、当該空間内の圧力は空間の外の圧力に比べて高くなる。そのため、孔１０４１を介して、反射部材１０３と防止部材１０４とにより囲まれた空間内から当該空間の外に向かう風が送られる。
【００２７】
上述の通り、レーザ光ＬＢの光軸ａ１は、搬送路ｒに対して下流側に傾いている。レーザ光ＬＢの光軸ａ１が搬送路ｒに対して下流側に傾くと、照射領域Ｄ１の位置は、孔１０４１よりも上流側になる。そのため、用紙Ｐの表面で孔１０４１を通過した風が当たる領域にあるトナーＴは、用紙Ｐに定着している。したがって、レーザ光ＬＢの光軸ａ１が搬送路ｒに対して上流側に傾いている場合に比べて、孔１０４１を通過した風を受けてトナー像が乱されることが抑制される。
【００２８】
（変形例）
本発明は、上述の実施形態に限定されるものではなく、種々の変形実施が可能である。以下、変形例をいくつか説明する。以下で説明する変形例のうち、２つ以上のものが組み合わされて用いられてもよい。
【００２９】
（１）変形例１
上述の実施形態では、送風機１０６が、孔１０４１を通過し搬送路ｒに向かう風を送る場合について説明した。この点、送風機１０６が送る風の経路は、孔１０４１を通過するものに限らない。送風機１０６は、例えば、搬送路ｒに沿って風を送ってもよい。
【００３０】
図５は、変形例１に係る定着装置１１を幅方向の一方側から見た断面模式図である。定着装置１１において、送風機１０６は、搬送路ｒの上流側から下流側に向かう風を送っている。また、定着装置１１において、光源１０１１は、レーザ光ＬＢの光軸ａ１が搬送路ｒに対して上流側に傾くように配置される。レーザ光ＬＢの光軸ａ１が搬送路ｒに対して上流側に傾くと、照射領域Ｄ１の位置は、孔１０４１よりも下流側になる。そのため、レーザ光ＬＢの光軸ａ１が搬送路ｒに対して下流側に傾いている場合に比べて、粉塵が孔１０４１を通過することが抑制される。
【００３１】
（２）変形例２
定着装置の構成は、実施形態に記載されたものに限らない。定着装置は、例えば、反射部材１０３を有していなくても良い。
【００３２】
図６は、変形例２に係る定着装置１２を幅方向の一方側から見た断面模式図である。定着装置１２は、反射部材１０３を有しない点が上述の定着装置１０と異なる。図６において、送風機１０６は、実施形態と同様に、孔１０４１を通過し搬送路ｒに向かう風を送っている。またレーザ光ＬＢの光軸ａ１は、搬送路ｒに対して下流側に傾いている。なお、反射部材１０３が用いられない場合、防止部材１０４は光を透過する材料で形成されなくてもよい。また、防止部材１０４は、平板状である場合に限らず、例えば搬送路ｒに対して湾曲した形状であってもよい。
【００３３】
（３）変形例３
送風機１０６が反射部材１０３と防止部材１０４とにより囲まれた空間に風を送り込む経路は、孔１０３１からに限らない。送風機１０６は、反射部材１０３に設けられた孔１０３１とは別の孔から、当該空間に風を送り込んでもよい。
【００３４】
（４）変形例４
上述の実施形態では、光源１０１１は搬送方向に１つである場合について説明した。この点、光源１０１１は搬送方向に複数設けられてもよい。この場合、孔１０４１は、搬送方向に並んだ複数の光源１０１１によるレーザ光ＬＢを通過させる。なお、搬送方向に複数の光源１０１１が設けられる場合、防止部材１０４には、搬送方向の一方の光源１０１１によるレーザ光ＬＢを通過させる孔と、他方の光源１０１１によるレーザ光ＬＢを通過させる孔とが別々に設けられてもよい。
【００３５】
（５）変形例５
光学部材１０２は、レーザ光ＬＢを搬送方向に収束させるレンズに限らない。光学部材１０２は、例えば、レーザ光ＬＢを幅方向に拡散させてもよい。この場合、搬送方向をから見た断面が凹型のレンズが光学部材１０２として用いられる。別の例で、一の光源１０１１に対して、レーザ光ＬＢを幅方向に拡散させるレンズと、レーザ光ＬＢを搬送方向に収束させるレンズとが設けられてもよい。さらに別の例で、幅方向に沿って並んだ複数の光源１０１１に対応させて、幅方向に沿って延びる一枚の光学部材１０２が設けられても良い。
【００３６】
（６）変形例６
実施形態では用紙Ｐが連続紙である例を示したが、用紙Ｐは定められた寸法で１ページ分ずつ裁断されたものであってもよい。この場合、支持ローラ１０５に代えて搬送ベルトが用いられてもよい。搬送ベルトは、無端のベルト状の部材であり、複数の用紙Ｐを搬送路ｒに沿って順に搬送する。
【００３７】
（７）変形例７
レーザ光ＬＢの光軸ａ１が、搬送路ｒに対して傾く方向は、図４または図５に示した方向に限らない。図４において、レーザ光ＬＢの光軸ａ１は、搬送路ｒに対して上流側に傾いてもよい。また図５において、レーザ光ＬＢの光軸ａ１は、搬送路ｒに対して下流側に傾いてもよい。
【００３８】
（８）その他の変形例
実施形態では画像形成材料の例としてトナーを示したが、画像形成材料はインクであっても構わない。この場合、インクが光を照射されて乾燥することにより画像が用紙Ｐに定着する。
実施形態では、画像形成装置１００はカラーの画像を形成するものであったが、モノクロの画像を形成してもよい。この場合、画像形成装置１００は、画像形成エンジン９０Ｙ、９０Ｍ、９０Ｃ、および９０Ｋのうち、画像形成エンジン９０Ｋを有していればよい。
【符号の説明】
【００３９】
１００…画像形成装置、１…制御部、２…記憶部、３…通信部、４…受付部、５…画像読取部、６…画像処理部、７…収容部、７１…軸、８…搬送ローラ、９…画像形成部、９０…画像形成エンジン、９１…感光体ドラム、９２…帯電装置、９３…露光装置、９４…現像装置、９５…転写装置、９６…クリーナー、１０,１１,１２…定着装置、１０１…照射部、１０１１…光源、１０２…光学部材、１０３…反射部材、１０３１…孔、１０３２…開口部、１０３３…反射面、１０４…防止部材、１０４１…孔、１０５…支持ローラ、１０６…送風機
【図１】
2014048456.tif 000003
【図２】
2014048456.tif 000004
【図３】
2014048456.tif 000005
【図４】
2014048456.tif 000006
【図５】
2014048456.tif 000007
【図６】
2014048456.tif 000008